(57)【特許請求の範囲】
【請求項１】
液晶表示装置、該液晶表示装置が取り付けられた上部蓋、及び該上部蓋がヒンジ結合されたキー入力手段を有するコンピュータ本体とからなる携帯用コンピュータであって、
該液晶表示装置は、所定の表示領域を有する液晶パネルと；その端部にランプが固定されている導光板と；前記ランプが発生する光を前記導光板へ反射する反射板と；前記液晶パネル、導光板及び反射板からなる積層体の平面を支持する背面と、前記液晶パネル、導光板及び反射板の各側面の少なくとも一部を囲む側面を有し、当該側面に外部機器との固定を行うためのネジの孔を有する第１固定枠と；及び前記第１固定枠の側面の少なくとも一部と重なるようにして前記液晶パネル、導光板及び反射板の各側面の少なくとも一部を囲む側面を有し、当該側面に前記ネジ孔を外部に露出させるための第１の開口が形成された第２の固定枠とからなり、
該上部蓋は、該コンピュータ本体を覆う背面と、該背面に取り付けられた該液晶表示装置の側面を囲む側面とを有し、該上部蓋の側面に前記ネジ孔を露出させるための第２の開口が形成されており、該上部蓋の側面の第２の開口と該第２の固定枠の第１の開口を貫通し該第１の固定枠の側面のネジ孔にネジこまれた固定ネジによって、該第１と第２の固定枠及び上部蓋が機械的に結合されている携帯用コンピュータ。
【発明の詳細な説明】
【０００１】
【発明が属する技術分野】
本発明は、液晶表示装置のハウジングアセンブリに関する。また、本発明は、液晶表示装置を備える携帯用コンピュータ（Portable Computer）等の携帯用端末装置に関する。特に、本発明は、携帯用コンピュータ等の携帯用端末装置に用いられる液晶表示装置の表示領域を増加すること及び液晶表示装置を用いる携帯用端末装置を薄くすることに関する。
【０００２】
【従来の技術】
従来技術１  液晶表示装置は、図７に示すように液晶表示装置パネル１０、蛍光ランプ１１、前記蛍光ランプをＵ字型で囲むランプハウジング１２及び前記液晶パネルのある一つの面に次第によって付着された拡散板１３、プリズム１４、保護シート１５、導光板１６及び反射板１７から構成され、又、これらを固定させる固定枠１８から構成されている。前記液晶パネルは、表示領域１９を有する。前記表示領域は図示されないが、外側面に偏光板が付着された２枚の透明基板と、該２枚の透明基板の内側面の間に液晶が注入されて形成されている。又、前記液晶表示装置には、前記表示領域を駆動させる駆動回路２０も構成されている。そして、固定枠は、図８に示すように反射板のある一つの面に付き合せる第１固定枠２１と、前記第１固定枠の側面に付着される第２固定枠２２とから構成されている。
【０００３】
前記液晶表示装置の動作方法は、以下の如くである。図９は、導光板の断面を示すものであり、該導光板１６は、厚さが厚い端部と、厚さが薄い端部を有する四角型の透明基板である。そして、光源として蛍光ランプ１１が前記導光板１６の厚い端部に固定されている。前記蛍光ランプ１１がＯＮになると、前記蛍光ランプ１１からの光２３は、前記蛍光ランプ１１を囲んでいるランプハウジング１２によって反射され、前記反射された光２３は、前記導光板１６の断面を通して前記蛍光ランプ１１が設置されてない導光板１６の向かい方の端部まで到達される。それによって、前記光は導光板１６の全面にわたって発散され、拡散板によって光は、液晶パネルの表示領域（図７の１９）に到達する。この時、液晶表示装置の駆動回路（図７の２０）の信号によって液晶パネルに形成されている薄膜トランジスタは画素を制御して、光を選択的に通過させる。前記選択的に光が通過された画素が集まって、液晶パネルの表示領域１９に映像を表示する。
【０００４】
前記液晶表紙装置は、独自的に使われることはあまりなく、一般にノートブックコンピュータのような携帯用コンピュータ装置の画面出力用として使われる。
【０００５】
従来のノートブックコンピュータのような装置に前記液晶表示装置を固定させた方法を以下に説明する。図１０及び図１１に示すように、従来の液晶表示装置は第１固定枠３２にグラウンド支持板３０を設置する。そして、前記グラウンド支持板３０と第１固定枠３２にマウンティングホール３３を形成する。その後、図１１に示すように前記グラウンド支持板３０と第１固定枠３２とをネジ３１で固定する。即ち、ネジのような固定部材で第１固定枠３２とグラウンド支持板３０を固定させて、ノートブックコンピュータのような装置に液晶表示装置を固定させる。
従来技術２  一般に携帯用コンピュータ、薄型モニター等に使用する液晶表示装置（Liquid Crystal Display Device）を図１３に示す。前記図１３を参照すると、前記液晶表示装置は、大きく分けて液晶パネル（３２０：Liquid Crystal Panel）、背光装置（Back Light Unit）及び駆動回路基板（３３０：Driving circuit board）から構成される。もっと詳しく説明すると、背光装置は蛍光ランプ３１１、前記蛍光ランプ３１１をＵ字型で囲むランプハウジング３１２、前記蛍光ランプ３１１から入射する光を水平入射し、これを垂直反射する導光板（３１３：Light Guide）及び反射板（３１４：Reflector）、前記導光板３１３上に積層される保護シート３１５、前記保護シート３１５上に積層された前記導光板３１３から入射される光を所定の角度で集光する第１プリズムシート３１６及び第２プリズムシート３１７、前記第１プリズムシート３１６及び第２プリズムシート３１７を通して前記液晶パネル３２０の表示領域３２１に適切な視野角（viewing angle）で拡散させる拡散シート３１８及び前記複数の構成要素を支持するための固定枠から構成される。
【０００６】
前記の構成を参照して液晶表示装置の一般的の表示動作を調べて見ると、前記蛍光ランプから入射される光が背光装置を通して液晶パネル３２０の背面に入射され、前記駆動回路基板３３０に装着された回路の制御動作に応じて前記液晶パネル３２０の表示領域３２１を通して前記入射された光が調節されることで画像（Image）、文字等が表示される。
【０００７】
図１４は、従来の液晶表示装置の最終結合構造を示す平面図であり、携帯用コンピュータでの装着のための結合構造を有する支持フレーム３４０、液晶パネル及び背光装置の結合状態を示している。前記支持フレーム３４０は、金属、又はプラスティック等の材質から形成され、液晶パネルの前面を覆う形態で前記液晶パネル（図１３の３２０）と背光装置を固定枠に固定される。この時、駆動回路基盤（図１３の３３０）は、前記液晶パネル（図１３の３２０）に連結された軟性材質のフィルムによって前記背光装置の背面で曲がって付着される。
【０００８】
図１５は、従来の液晶表示装置と携帯用コンピュータとが装着されている構成図であり、従来の携帯用コンピュータは、携帯用コンピュータの後部のふた（３５０：Rear Case）に液晶表示装置の支持フレーム３４０を締め具のネジ３４３で締め具の孔３４１を通して固定させた後に、表示領域３２１だけの空き空間を有する前部のふた（図示されない）が前記後部のふた３５０に付着される。前記液晶表示装置は、締め具の孔３４１を通して締め具のネジ３４３で後部のふた３５０に法線方向に固定された。その後、図示されないが、液晶表示装置の各部品の中の前記表示領域だけが前記前部のふたによって外部に露出され、その他の部分は、露出されない。
【０００９】
【発明が解決しようとする課題】
従来例１の課題図１１に示した方法には、ネジの長さによって液晶表示装置の厚さが厚くなる。さらに、前記ネジを固定させるためのマウンティングホール３３が液晶表示装置の表示領域の表面に形成されることによって液晶表示装置の表示領域の比率が低くなる。
【００１０】
即ち、図１２のように液晶表示装置１０の表示領域の表面に形成されたネジの形成部５０にネジ３１を介して液晶表示装置をノートブックコンピュータ（図示されない）に固定させれば、前記ネジの長さによって組立てられた液晶表示装置の全体の厚さが厚くなり、薄型化ができないという限度があった。又、前記マウンティングホールを形成するために液晶表示装置の表示領域の表面のエージ部に別のネジの形成部５０が設置しならなければならないので、液晶表示装置１０の全体面積で画面の表示領域の比率が低くなるという問題があった。さらに、一般に前記ネジの形成部５０は、金属材であるから、前記ネジの形成部５０の重さによって液晶表示装置の重量も増加し、携帯用コンピュータ（ノートブックコンピュータ）には望ましくない。
【００１１】
従って、液晶表示装置の表示領域の比率の低下なしに、又は、液晶表示装置の重量の増加なしにマウンティングホールを形成することができる製造方法が必要である。
【００１２】
従来例２の課題一般に、携帯用コンピュータのサイズは、その携帯の便利性のために多少制限的であるので、携帯用コンピュータのような携帯用表示装置（Portable Display）での表示領域比率と厚さは、製品の品質と重要な関連がある。
【００１３】
しかし、上述した従来の携帯用コンピュータは、図１４、図１５に示したように、液晶表示装置を後部のふた３５０に法線方向で固定させるため、液晶表示装置の端部に締め具の孔が形成されている。従って、前記液晶表示装置は、端部が締め具の孔を形成するためのネジの形成部、その分だけ大きくなり、液晶表示装置の総面積で表示領域の比率が低くなるという問題があった。
【００１４】
又、従来の携帯用コンピュータ及び液晶表示装置は、ねじを用いて法線方向で液晶表示装置を後部のふた３５０に固定させるので、締め具のネジの長さと、締め具のネジの固定のための後部のふた３５０に位置する固定部材３５１の長さによって厚さが増大された。
【００１５】
又、従来の液晶表示装置は、前記締め具の孔３４１を支持するためにネジの形成部３４２を設置した。しかし、前記ネジの形成部３４２は、一般に金属材料から形成されるため、携帯用コンピュータの全体の重量が重くなる短所がある。
【００１６】
この発明は、従来技術の制限や不利な点による問題を実質的に除去する液晶表示装置を提供することを目的とする。
【００１７】
この発明は、表示領域の効率を増加した液晶表示装置及び携帯用端末装置を提供することを目的とする。
【００１８】
この発明は、厚さを薄くできる液晶表示装置及び携帯用端末装置を提供することを目的とする。
【００１９】
固定フレームの使用をやめて表示装置のコストと重量を減らすことのできる液晶表示装置及び携帯用端末装置を提供することを目的とする。
【００２０】
【課題を解決するための手段】
この発明に係る液晶表示装置は、液晶パネルと、導光板と該導光板の端部に固定されたランプと、該ランプの発する光を該導光板に導く反射板と、該導光板の裏面に設置された固定枠を含む背光装置を備える液晶表示装置において、前記固定枠の側面に結合部が形成されているものである。
【００２１】
この発明に係る液晶表示装置は、前記固定枠の側面を囲む第２固定枠を備えるものである。
【００２２】
この発明に係る液晶表示装置は、前記結合部と対応する第２結合部が前記第２固定枠の側面部に形成されるものである。
【００２３】
この発明に係る液晶表示装置は、所定の表示領域を有する液晶パネルと、前記液晶パネルの背面に付着された背光装置と、前記背光装置の背面と前記液晶パネルの背面を支持する第１固定枠と、少なくとも前記第１固定枠の側面に接して前記液晶パネルを保護する第２固定枠を具備し、前記第１固定枠と前記第２固定枠の側面の相互に対応する位置に、前記第２固定枠を外部フレームに加えて結合するための結合部をそれぞれ形成したものである。
【００２４】
この発明に係る液晶表示装置は、前記結合部がネジの孔である。
【００２５】
この発明に係る携帯用端末装置は、液晶表示装置と、キー入力装置を具備する本体と、前記本体上に位置して前記本体から開け閉められる上部の蓋と、前記液晶表示装置が前記上部の蓋と前記本体の間に位置する前記上部の蓋の背面に装着されるように、前記液晶表示装置の側面と前記上部の蓋の側面を該二つの側面に交差する方向で固定されるものである。
【００２６】
この発明に係る携帯用端末装置は、前記液晶表示装置の側面と前記上部の蓋の側面とは、それぞれの側面に設けられた孔を通して締められるネジにより固定されるものである。
【００２７】
この発明に係る携帯用端末装置は、前記液晶表示装置の側面と前記上部の蓋の側面とは、各々結合される両面結合手段により固定されるものである。
【００２８】
この発明に係る携帯用端末装置は、液晶表示装置と、キー入力装置を具備する本体と、前記本体上に位置して前記本体から開け閉められ、キー入力装置を露出される上部の蓋と、前記液晶表示装置を前記上部の蓋の背面に固定させ、前記液晶表示装置の側面に前記上部の蓋を貫通し、前記液晶表示装置の液晶パネルの下まで位置する固定手段を具備するものである。
【００２９】
【発明の実施の形態】
実施の形態１．この発明の好適な実施の形態について、図面を用いて説明する。
【００３０】
この発明は、液晶表示装置の前面の固定要素に代えて、液晶表示装置の側面の固定要素のためのマウンティングホールを備える。
【００３１】
図１は、第１固定枠１００に形成された第１マウンティングホール１５０を示す図であり、図２は、液晶表示装置の組立の部品を分離して示した図である。前記図１、図２を参照し、本発明の液晶表示装置の構造について以下に説明する。まず、プラスティックの材質の第１固定枠１００の上に反射板１４０、導光板２１０、保護シート１３０、第１プリズム１２０、第２プリズム１１０及び拡散板２２０が次第に積層し設置する。この時、前記第１固定枠１００の側面には、固定枠材２００のための複数の第１マウンティングを形成する。加えて、前記導光板の厚さが厚い端部に蛍光ランプ１８０と、ランプハウジング１９０を固定する。又、前記ランプハウジング１９０は、前記蛍光ランプ１８０をU字型で囲むように設置する。又、前記第１固定枠１００とランプハウジング１９０を固定させるため、前記第１固定枠１００の側面を囲むように金属材質の第２固定枠１７０をはめる。前記第２固定枠１７０にもハウジングホール１６０を形成し、前記第２マウンティングホールは前記第１マウンティングホール１６０と位置が同一になるように形成する。
【００３２】
終わりに、ノートブックコンピュータのような外部機器に付着されるようにネジのような固定部材２００を用いて、前記第１固定枠１００と前記第２固定枠１７０とを固定させる。図３は、第１固定枠１００と第２固定枠１７０とのマウンティングホール１６０を通して、固定部材２００が貫通して第１固定枠１００と第２固定枠１７０がはめられて固定された様態を示す図である。
【００３３】
以上のように、この発明の実施の形態１によれば、固定部材を液晶表示パネルの面の法線方向ではなく、図１に示すようにその側面において、その法線方向に固定部材を貫通させるので、従来必要であったネジの形成部５０が不要になる。したがって、表示領域の効率を増加した液晶表示装置を提供することができる。
【００３４】
また、側面の法線方向の固定部材を貫通させるので、固定部材が長いときでもその厚みは固定部材の幅しか必要としない。したがって、厚さを薄くできる液晶表示装置を提供することができる。
【００３５】
また、固定フレームの使用をやめることができて、表示装置のコストと重量を減らすことができる。
【００３６】
実施の形態２  次に本発明の実施の形態を図４〜６を参照し、形態用表示装置である携帯用コンピュータを例にとり説明する。
【００３７】
図４に示すように、本発明の実施の形態２は、プラスティック材質の第１固定枠１００上に反射板１４０、導光板２１０、保護シート１３０、第１プリズムシート１２０、第２プリズムシート１１０、拡散シート２２０及び液晶パネル３００を順次に積層し設置する。この時、前記第１固定枠１００の側面には、固定部材のための複数個の第１締め具の孔４１０ａが形成されている。そして、前記導光板２１０の厚い端面に蛍光ランプ１８０とランプハウジング１９０とが固定され、該ランプハウジング１９０は、前記蛍光ランプ１８０をU字型で囲むように設置されている。そして、前記第１固定枠１００、液晶パネル３００及びランプハウジング１９０を固定するために前記第１固定枠１００の側面を囲むように金属材質の第２固定枠４００をはめる。この時、前記第２固定枠４００には、第２締め具の孔が形成されており、該締め具の孔４１０ｂは、前記第１締め具の孔４１０ａの位置と同一な位置に成るように形成されている。
【００３８】
前記図４に示すように、第１固定枠１００、第２固定枠４００、液晶パネル３００及び背光装置が組み立てられた液晶表示装置７００を携帯用コンピュータに付着させるために、図５に示すように後部の蓋５００と前部の蓋５２０をはめて固定させる。前記後部の蓋、前部の蓋とは、従来の携帯用コンピュータの後部の蓋、前部の蓋とは違って前記液晶表示装置７００の表示領域２１０が最大限露出される構造を有している。又、前記後部の蓋の側面には、前記第２締め具の孔４１０ｂに対応する第３締め具の孔４１０ｃが形成されている。そして、第２締め具の孔及び第３締め具の孔を貫通する締め具のネジ４３０のような締め具によって前記後部の蓋５００と液晶表示装置７００が固定される。
【００３９】
前記第２締め具の孔４１０ｂ、第３締め具の孔４１０ｃの代わりに両面テープのような接着物質を用いて第２固定枠４００と後部の蓋を固定させることもできる。この方法は、後部の蓋５００の側面にネジの突出部が形成されてないという長所を有する。
【００４０】
又は、前記締め具のネジのような固定部材を使用せずに後部の蓋の内側面に環のような掛けを形成させて直接後部の蓋と第２固定枠を固定させることもできる。
【００４１】
図６は、本発明の液晶表示装置を携帯用コンピュータに装着した例を示しており、図６の携帯用コンピュータが先の図１５の従来の携帯用コンピュータと違う点は、液晶表示装置の表示領域の比率である。従来の携帯用コンピュータとは違って本発明の携帯用コンピュータは前記表示領域の比率が従来に比べてはるかに高い。
【００４２】
本発明の実施の形態２において、ノートブックコンピュータと携帯用表示装置とを結合するための締め具を液晶表示装置の前面に形成することがなく、端側面に形成する。つまり、長方形の液晶表示装置の四つ辺の中、長さが短い辺の側面に前記締め具を形成する。又、前記締め具は、ネジ、環、接着剤等を使用して携帯用表示装置の後部のふたに締めることができる。又、前記締め具の形成方法は、前記液晶表示装置の端側面を基準として法線方向であると共に、液晶パネルの長側面に平行な方向であり、液晶表示装置の表示領域に対して水平方向である。又、本発明の他の実施例として端側面に平行して、長側面に法線方向で液晶表示装置と後部のふたとを締めることができる。
【００４３】
以上のように、この発明の実施の形態２によれば、締め具を液晶表示パネルの面の法線方向ではなく、図に示すようにその側面において、その法線方向に締め具を貫通させるので、従来必要であったネジの形成部３４２が不要になる。したがって、表示領域の効率を増加した携帯用端末装置を提供することができる。
【００４４】
また、側面の法線方向に締め具を貫通させるので、締め具が長いときでもその厚みは締め具の幅しか必要としない。したがって、厚さを薄くできる携帯用端末装置を提供することができる。
【００４５】
また、固定フレームの使用をやめることができ、表示装置のコストと重量を減らすことができる。
【００４６】
【発明の効果】
以上のように、本発明によれば、固定部材あるいは締め具の取り付け部が固定枠の側面に形成されているので、当該部分を液晶表示装置の表示領域に形成する必要がない。従って、液晶表示装置の表示領域の比率が高まる効果がある。
【００４７】
また、固定部材あるいは締め具の形成部により液晶表示装置の重量が増加しないので、ノートブックコンピュータのような携帯用端末装置に好適である。
【００４８】
また、固定部材あるいは締め具が液晶パネルの表示領域に対し水平方向で締められるので、携帯用端末装置の厚さが従来より薄くなる。
【００４９】
また、固定部材あるいは締め具のための形成部を別に組み立てる必要がないので、コストが低減されるという効果が得られる。
【図面の簡単な説明】
【図１】本発明の実施例の形態１の液晶表示装置のマウンティングホールが第１固定枠の側面に形成されたものを示す図である。
【図２】本発明の実施の形態１の液晶表示装置の組み立て部品を分離して示す図である。
【図３】本発明の実施の形態１により第１固定枠と第２固定枠のマウンティングホールを通し、固定部材が貫通して組み立てられた液晶表示装置の背光装置を示す図である。
【図４】本発明の実施の形態２の背光装置の組み立て構造を示す部品の立体図である。
【図５】本発明の実施の形態２の液晶表示装置と後部のふた及び前部のふたの組み立て構造を示す立体図である。
【図６】本発明の実施の形態２の液晶表示装置と携帯用コンピュータとの装着構造を示す図である。
【図７】従来技術１に係る液晶表示装置の組立部品を示す図である。
【図８】従来技術１に係る液晶表示装置の第１の固定枠と第２の固定枠とを示す図である。
【図９】従来技術１に係る導光板と蛍光ランプとの断面を示す図である。
【図１０】従来技術１に係る液晶表示装置の第１固定枠のネジの形成部を示す平面図である。
【図１１】従来技術１に係る液晶表示装置の第１固定枠、ランプハウジング及びグラウンド支持板がネジで固定されたものを示す断面図である。
【図１２】従来技術１に係る液晶表示装置の表示領域の表面に形成されたネジの形成部と表示領域とを示す平面図である。
【図１３】従来技術２に係る液晶表示装置の構造を示す立体図である。
【図１４】従来技術２に係る液晶表示装置の最終結合構造を示す平面図である。
【図１５】従来技術２に係る液晶表示装置と携帯用コンピュータとの結合構造を示す図である。
【符号の説明】
１００  第１固定枠
１１０  第２プリズム
１２０  第１プリズム
１３０  保護シート
１４０  反射板
１５０  第１マウンティングホール
１６０  ハウジングホール
１７０  第２固定枠
１８０  蛍光ランプ
１９０  ランプハウジング
２００  固定枠材
２１０  導光板
２２０  拡散板
２３０  表示領域２１０
３００  液晶パネル
４００  第２固定枠
４１０ａ  第１締め具の孔
４１０ｂ  第２締め具の孔
４１０ｃ  第３締め具の孔
４３０  ネジ
５００  後部のふた
５２０  前部のふた
７００  液晶表示装置
【図１】
0003908619.tif 000002
【図２】
0003908619.tif 000003
【図３】
0003908619.tif 000004
【図４】
0003908619.tif 000005
【図５】
0003908619.tif 000006
【図６】
0003908619.tif 000007
【図７】
0003908619.tif 000008
【図８】
0003908619.tif 000009
【図９】
0003908619.tif 000010
【図１０】
0003908619.tif 000011
【図１１】
0003908619.tif 000012
【図１２】
0003908619.tif 000013
【図１３】
0003908619.tif 000014
【図１４】
0003908619.tif 000015
【図１５】
0003908619.tif 000016